(57)【要約】【課題】外部から供給される信号が不測の原因で途絶した場合、表示部や駆動回路部を誤動作もしくは損傷から保護可能な画像表示装置を提供する。【解決手段】表示部Ｄはマトリクス状に配された画素を有し、システム制御部Ｓは画像信号及び制御信号を含む信号を供給し、駆動回路部Ｈ，Ｖはシステム制御部Ｓから供給された制御信号に応じて表示部Ｄを駆動し同じくシステム制御部Ｓから供給された画像信号に基いて表示部Ｄに画像を表示する。システム制御部Ｓから駆動回路部Ｈ，Ｖに供給される信号の経路中に保護回路Ｚが挿入されている。保護回路Ｚは、システム制御部Ｓから制御信号の供給が途切れた場合、これを検出してシステム制御部Ｓからの制御信号の外部的供給を遮断する一方、内部的に代替の制御信号を生成しこれを駆動回路部Ｈ，Ｖに供給する。【選択図】図１
2006010999.tif 000002
【特許請求の範囲】
【請求項１】
表示部と駆動回路部とシステム制御部とからなり、前記表示部はマトリクス状に配された画素を有し、前記システム制御部は画像信号及び制御信号を含む信号を供給し、前記駆動回路部は該システム制御部から供給された制御信号に応じて該表示部を駆動し同じく該システム制御部から供給された画像信号に基いて該表示部に画像を表示する画像表示装置において、
前記システム制御部から前記駆動回路部に供給される信号の経路中に保護回路が挿入されており、
前記保護回路は、該システム制御部から該制御信号の供給が途切れた場合、これを検出して該システム制御部からの該制御信号の外部的供給を遮断する一方、内部的に代替の制御信号を生成しこれを該駆動回路部に供給することを特徴とする画像表示装置。
【請求項２】
前記保護回路は、該システム制御部から外部的に供給される制御信号が復帰した場合、これを検出して該システム制御部から受け入れた制御信号をそのまま該駆動回路部に送出する一方、内部的に生成された代替の制御信号を停止することを特徴とする請求項１記載の画像表示装置。
【請求項３】
前記保護回路は、該システム制御部から外部的に供給される制御信号の供給が途切れた場合、これを検出して該画像信号の供給を遮断する一方、所定電位の信号を内部的に生成しこれを該駆動回路部に供給する事を特徴とする請求項１記載の画像表示装置。
【請求項４】
表示部と駆動回路部とシステム制御部とからなる画像表示装置に組み込まれる保護回路を集積形成した半導体装置であって、該表示部はマトリクス状に配された画素を有し、該システム制御部は画像信号及び制御信号を含む信号を供給し、該駆動回路部は該システム制御部から供給された制御信号に応じて該表示部を駆動し同じく該システム制御部から供給された画像信号に基いて該表示部に画像を表示し、
前記保護回路は、該システム制御部から該駆動回路部に供給される信号の経路中に配されており、
前記保護回路は、該システム制御部から該制御信号の供給が途切れた場合、これを検出して該システム制御部からの該制御信号の外部的供給を遮断する一方、内部的に代替の制御信号を生成しこれを該駆動回路部に供給することを特徴とする半導体装置。
【請求項５】
前記保護回路は、該システム制御部から外部的に供給される制御信号が復帰した場合、これを検出して該システム制御部から受け入れた制御信号をそのまま該駆動回路部に送出する一方、内部的に生成された代替の制御信号を停止することを特徴とする請求項４記載の半導体装置。
【請求項６】
前記保護回路は、該システム制御部から外部的に供給される制御信号の供給が途切れた場合、これを検出して該画像信号の供給を遮断する一方、所定電位の信号を内部的に生成しこれを該駆動回路部に供給する事を特徴とする請求項４記載の半導体装置。
【発明の詳細な説明】
【技術分野】
【０００１】
本発明は表示部と駆動回路部とシステム制御部とからなる画像表示装置に関する。より詳しくは、システム制御部から駆動回路部に対して外部的に供給される制御信号が不測の原因で途絶えた時、代替の制御信号を内部的に生成して駆動回路部に供給する保護回路に関する。
【背景技術】
【０００２】
従来の画像表示装置は、基本的に表示部と駆動回路部とシステム制御部とからなる。表示部はマトリクス状に配された画素を有する。システム制御部は画像信号及び制御信号を含む信号を供給する。駆動回路部はシステム制御部から供給された制御信号に応じて表示部を駆動し、同じくシステム制御部から供給された画像信号に基づいて表示部に画像を表示する。小型の画像表示装置（ディスプレイデバイス）では表示部と駆動回路部とが一枚のパネル内に一体的に形成されている。大型のディスプレイデバイスでは、表示部がパネルで構成され、駆動回路部は別体のドライバＩＣとしてパネルに接続される。システム制御部は一般的に外部の基板に搭載された映像表示システムとして提供される。
【０００３】
アクティブマトリクス型の表示部の場合、互いに直交する信号線と走査線との間に各画素が配されている。駆動回路部は信号線に接続する水平駆動回路と走査線に接続する垂直駆動回路とに分かれている。垂直駆動回路は走査線を線順次で走査しライン毎に画素を選択する。水平駆動回路は信号線に接続されており、選択された画素に画像信号を書き込んで画像を表示する。
【０００４】
係る構成を有する画像表示装置の保護回路に関連する技術として、以下の特許文献１及び特許文献２が挙げられる。
【特許文献１】特開２００２−１８５２９９公報
【特許文献２】特開２００２−２２３１５５公報
【発明の開示】
【発明が解決しようとする課題】
【０００５】
上述した水平駆動回路や垂直駆動回路はドライバＩＣの形で画像表示装置に組み込まれる場合がある。外部の映像表示システムからドライバＩＣに対して制御信号や画像信号を含む信号が入力される。不測の原因で入力信号の供給が途絶えた場合、ドライバＩＣは停止するかあるいは誤動作に陥る。この様な状態になった場合、表示部を構成するパネルの状態如何によっては、問題が生じる場合がある。入力信号の途絶により、ドライバＩＣやディスプレイパネルが誤動作に陥る恐れがあり、更には物理的な損傷を与える可能性もある。
【０００６】
例えば信号線側に接続される水平駆動回路に対して制御信号もしくは画像信号が途切れると、信号線電位は不定となる。各信号線に接続している画素は有機ＥＬなどの発光素子やこれを駆動する薄膜トランジスタ（ＴＦＴ）で構成されている。ＴＦＴの特性ばらつきや、通常駆動では問題にならないレベルの高抵抗・高容量の配線ショートによって、不定レベルの配線の電位が所望の電位とは異なる電位に引き上げ（引き下げ）られたり、画素トランジスタやこれに接続されるＥＬなどの発光素子に雪崩れ的に大電流が流れたりして、ディスプレイパネルや水平駆動回路更には付属の電源回路などに損傷を及ぼす可能性が考えられる。
【０００７】
又、走査線側に接続されている垂直駆動回路においても同様な危険性が考えられる。走査線側においては、ディスプレイパネル内のある走査線を選択したまま制御信号が止まってしまう場合がある。この状態においては、信号線側で起きる現象と同様、通常の高速走査時には問題にならなかった高抵抗・高容量の配線ショートによる雪崩れ的な大電流発生などにより、パネル内の特定の走査線あるいはこれにつながるドライバＩＣの特定ピンなどに損傷を与える可能性が考えられる。
【課題を解決するための手段】
【０００８】
上述した従来の技術の課題に鑑み、本発明は外部から供給される信号が不測の原因で途絶した場合、表示部や駆動回路部を誤動作もしくは損傷から保護可能な画像表示装置を提供することを目的とする。係る目的を達成する為に以下の手段を講じた。
【０００９】
即ち本発明は、表示部と駆動回路部とシステム制御部とからなり、前記表示部はマトリクス状に配された画素を有し、前記システム制御部は画像信号及び制御信号を含む信号を供給し、前記駆動回路部は該システム制御部から供給された制御信号に応じて該表示部を駆動し同じく該システム制御部から供給された画像信号に基いて該表示部に画像を表示する画像表示装置において、前記システム制御部から前記駆動回路部に供給される信号の経路中に保護回路が挿入されており、前記保護回路は、該システム制御部から該制御信号の供給が途切れた場合、これを検出して該システム制御部からの該制御信号の外部的供給を遮断する一方、内部的に代替の制御信号を生成しこれを該駆動回路部に供給することを特徴とする。
【００１０】
好ましくは前記保護回路は、該システム制御部から外部的に供給される制御信号が復帰した場合、これを検出して該システム制御部から受け入れた制御信号をそのまま該駆動回路部に送出する一方、内部的に生成された代替の制御信号を停止する。又前記保護回路は、該システム制御部から外部的に供給される制御信号の供給が途切れた場合、これを検出して該画像信号の供給を遮断する一方、所定電位の信号を内部的に生成しこれを該駆動回路部に供給する。
【００１１】
本発明は、表示部と駆動回路部とシステム制御部とからなる画像表示装置に組み込まれる保護回路を集積形成した半導体装置を包含する。該表示部はマトリクス状に配された画素を有し、該システム制御部は画像信号及び制御信号を含む信号を供給し、該駆動回路部は該システム制御部から供給された制御信号に応じて該表示部を駆動し同じく該システム制御部から供給された画像信号に基いて該表示部に画像を表示する。ここで前記保護回路は、該システム制御部から該駆動回路部に供給される信号の経路中に配されており、前記保護回路は、該システム制御部から該制御信号の供給が途切れた場合、これを検出して該システム制御部からの該制御信号の外部的供給を遮断する一方、内部的に代替の制御信号を生成しこれを該駆動回路部に供給することを特徴とする。
【発明の効果】
【００１２】
本発明によれば、断線やシステムトラブルなどにより、外部から制御信号や画像信号などの駆動用信号が途絶えた場合、本発明の保護回路は自動的に外部入力信号の途絶を検出し、これに代えて内部的に生成された駆動用信号を駆動回路部（ドライバ）や表示部（ディスプレイパネル）に供給する。これにより、ドライバは正常な動作を維持できる。その際画像信号は所定電位の信号に切り替えることで各信号線は所定の電位（例えば黒レベル）に固定される。従って、パネル側から見ると外部システムから駆動信号の供給が途絶しても、電源が供給されている限り本発明に係る保護回路の機能により、常に全面黒表示の状態で通常駆動を行なっているのと同じ状態が得られる。従って信号線の電位レベルの不定や、特定走査線の常時選択状態での停止など、パネルの異常駆動を未然に防ぐことができ、更にはこれらパネルの異常駆動に起因するパネル自身やシステム、電源の破壊などを未然に避けることが可能となる。
【発明を実施するための最良の形態】
【００１３】
以下図面を参照して本発明の実施の形態を詳細に説明する。図１は本発明に係る画像表示装置の全体構成を示すブロック図である。図示する様に本画像表示装置は、基本的に表示部Ｄと駆動回路部とシステム制御部Ｓとで構成されている。表示部Ｄは互いに直交する信号線及び走査線と、これらの交差部に配された画素を備えている。システム制御部Ｓは画像信号ＤＡＴＡ及び各種の制御信号ＨＣＫ，ＨＳＰ，ＢＡＮＫ，ＶＣＫ，ＶＳＰ１，ＶＳＰ２を含む駆動用の信号を供給する。駆動回路部は水平駆動回路Ｈ及び垂直駆動回路Ｖに分かれており、システム制御部Ｓから供給された制御信号に応じて表示部Ｄを駆動し同じくシステム制御部Ｓから供給された画像信号ＤＡＴＡに基づいて表示部Ｄに画像を表示する。具体的には、垂直駆動回路Ｖは表示部Ｄの走査線に接続されており、制御信号ＶＣＫ，ＶＳＰ１，ＶＳＰ２に応じて動作し、線順次で走査線を選択し、以ってライン毎に画素を選択する。一方水平駆動回路Ｈは信号線に接続されており、制御信号ＨＣＫ，ＨＳＰ，ＢＡＮＫに応じて動作し、画像信号ＤＡＴＡを各選択された画素に書き込む。
【００１４】
小型の画像表示装置の場合、図示の表示部Ｄと水平駆動回路Ｈ及び垂直駆動回路Ｖは一枚のパネル内に一体的に形成される。大型の画像表示装置の場合、表示部Ｄを構成するパネルとは別体に水平駆動回路Ｈ及び垂直駆動回路Ｖが設けられている。これら水平駆動回路Ｈ及び垂直駆動回路ＶはドライバＩＣに集積された形で、ＴＡＢもしくはＦＰＣなどの配線Ｌにより表示部Ｄに接続される。一方システム制御部Ｓは外部映像表示システムとして別体の基板に組み込まれた形で供給される。
【００１５】
本発明の特徴事項として、システム制御部Ｓから水平駆動回路Ｈ及び垂直駆動回路Ｖを含む駆動回路部に供給される信号の経路中に保護回路Ｚが挿入されている。この保護回路Ｚは、単独の半導体装置（ＩＣチップ）である。場合により保護回路Ｚは、駆動回路を集積したドライバＩＣに一体的に組み込むことも可能である。保護回路Ｚは、システム制御部Ｓから制御信号ＨＣＫ，ＨＳＰ，ＢＡＮＫ，ＶＣＫ，ＶＳＰ１，ＶＳＰ２の供給が途切れた場合、これを検出してシステム制御部Ｓからの制御信号の外部的供給を遮断する一方、内部的に代替の制御信号を生成し、これを駆動回路部に供給する。保護回路Ｚは、システム制御部Ｓから外部的に供給される制御信号が復帰した場合、これを検出してシステム制御部Ｓから受け入れた制御信号をそのまま駆動回路部に送出する一方、内部的に生成された代替の制御信号を停止する。保護回路Ｚは、システム制御部から外部的に供給される制御信号の供給が途切れた場合、更に画像信号ＤＡＴＡの供給を遮断する一方、所定電位の信号を内部的に生成しこれを水平駆動回路Ｈに供給している。
【００１６】
システム制御部Ｓから水平駆動回路Ｈ及び垂直駆動回路Ｖに送出される信号は複数存在し、ディスプレイデバイスによって異なる。例えばＣＲＴの場合水平同期信号、垂直同期信号及び画像信号の３種類で済む。デジタルで画像信号を送信するマトリクスディスプレイや、装置内にＲＧＢ切替スイッチを用い外部からの入力端子を１／３に減少させたマトリクスディスプレイなどでは、ドットクロックやパネル内部でＲＧＢを切り替える時の切替信号など、様々な駆動信号が必要である。図１の実施形態は表示部Ｄが有機ＥＬパネルからなる場合であり、システム制御部Ｓから水平駆動回路Ｈに対して画像信号ＤＡＴＡと制御信号ＨＣＫ，ＨＳＰ，ＢＡＮＫが供給される。一方垂直駆動回路Ｖに対してシステム制御部Ｓから制御信号ＶＣＫ，ＶＳＰ１，ＶＳＰ２が供給されている。ＨＣＫは水平駆動回路Ｈに組み込まれるシフトレジスタを動作させるクロックであり、ＨＳＰは同じくシフトレジスタの先頭段に印加されるスタートパルスであり、ＢＡＮＫはパネル内に前画面のデータ表示と次画面のデータ取り込みを同時に行なう為の複数バンク機構を持つ場合のバンク選択信号である。一方垂直駆動回路Ｖに印加されるＶＣＫは走査線をシフトする為のクロック、ＶＳＰ１は表示開始のスタートパルス、ＶＳＰ２は発光期間幅を制御する場合などの消去スタートパルスとなる。これらの各種制御信号は通常システム制御部Ｓ内にあるタイミング信号発生器によって供給されるが、保護回路Ｚが制御信号の供給途絶を検知した場合、保護回路Ｚ内部で相当する制御信号群を全て発生させることができる。
【００１７】
図２は、図１に示した各種信号の波形図である。一点鎖線から上にある４つの波形は、水平駆動回路に供給される信号ＨＣＫ，ＨＳＰ，ＤＡＴＡ，ＢＡＮＫを表わしている。図２の下側に表わした３つの波形は、垂直駆動回路に供給される信号ＶＣＫ，ＶＳＰ１，ＶＳＰ２を表わしている。波形図から明らかな様に、いずれの制御信号も所定周期のパルス波形となっている。
【００１８】
図３は、図１に示した保護回路Ｚの具体的な構成を示す回路図である。保護回路Ｚにはシステム制御部側から入力画像信号ライン１と入力制御信号ライン３が接続している。入力画像信号ラインには画像信号ＤＡＴＡがシステム制御部側から外部的に入力される。入力制御信号ライン３には同じくシステム側から外部的に制御信号ＣＴＲＬが供給される。図では理解を容易にする為、各種の制御信号ＨＣＫ，ＨＳＰ，ＢＡＮＫ，ＶＣＫ，ＶＳＰ１，ＶＳＰ２のいずれかを代表してＣＴＲＬで表わしてある。前述した様に、この制御信号ＣＴＲＬは所定の周期のパルス波形である。周期及びパルス幅は実際の制御信号の種類によってそれぞれ異なっている。
【００１９】
保護回路Ｚは出力画像信号ライン１２及び出力制御信号ライン１３を備えている。出力画像信号ライン１２は画像信号ＤＡＴＡを水平駆動回路側に供給する。出力制御信号ライン１３は制御信号ＣＴＲＬを水平駆動回路及び垂直駆動回路に供給する。
【００２０】
保護回路Ｚの内部には、クロック発振器５、内部信号生成開始カウンタ６、リセット信号発生器７、スイッチ切替器８、制御信号生成器９、出力バッファ１０、画像信号生成器１１、スイッチＳＷ１，ＳＷ２などが含まれている。
【００２１】
全ての入力ライン１，３は入力不定になった場合に電位が接地レベルに固定される様に、プルダウン抵抗２，４を備えている。具体的に見ると、入力画像信号ライン１にプルダウン抵抗２が接続され、入力制御信号ライン３には別のプルダウン抵抗４が接続され、各ライン群が接地レベルにプルダウンされる。クロック発振器５は外部から入力される信号ＣＴＲＬよりも周波数の十分高い内部クロックＣＬＫを生成する。クロック発振器５は電源が与えられている限り、外部から入力される信号ＣＴＲＬとは無関係に一定周波数のクロックパルスＣＬＫを生成する。このクロックパルスＣＬＫは内部信号生成開始カウンタ６のクロックとして使用される。この内部信号生成開始カウンタ６は、リセット信号発生器７からリセット信号ＲＳＴが入力されない限りカウントを続け、設定されたカウント値又はビット飽和になった時点でリップルキャリー信号ＲＣを出力する。リセット信号発生器７は入力制御信号ライン３にハイレベルの電圧が入力された時にリセット信号ＲＳＴを出力する。すなわち、リセット信号発生器７は入力制御信号ライン３から制御信号ＣＴＲＬが安定的に供給されている間は、定期的にハイレベルの電圧が入力される為、内部信号生成開始カウンタ６はロード値前にリセットされ、ＲＣ信号を出力することはできない。      
【００２２】
一方不測の原因で外部からの入力信号ＣＴＲＬが途絶えた場合、プルダウン抵抗４により入力制御信号ライン３は接地電位（ローレベル）に固定される為、リセット信号発生器７はリセット信号ＲＳＴを出力することができず、内部信号生成開始カウンタ６はリセットされずに設定カウント値又はビット飽和によってＲＣ信号を出力することになる。リセット信号発生器７から出力されるリセット信号ＲＳＴは、スイッチ切替器８及び制御信号生成器９のリセット信号としても利用される。スイッチ切替器８は内部信号生成開始カウンタ６の出力ＲＣが入力されると、スイッチＳＷ１を切替制御する。これにより、出力制御信号ライン１３に接続している出力バッファ１０の入力端子接続先を、外部入力信号ＣＴＲＬをスルーで接続する端子から、制御信号生成器９で内部的に作成された制御信号ＣＴＲＬに切り替える。スイッチ切替器８は更にＲＣ信号に応答してスイッチＳＷ２を切替制御する。これにより、出力画像信号ライン１２に接続した出力バッファ１０の入力端子接続先を、入力画像信号ライン１から、画像信号生成器１１で内部的に作られた画像信号ＤＡＴＡに切り替える。画像信号生成器１１によって内部的に作成された画像信号は接地電位の信号もしくは所定のメッセージを表示可能なパタン信号となっており、システム制御部から供給される通常の画像信号ＤＡＴＡとは異なる。画像信号生成器１１はあらかじめ所望のパタン表示が可能な内部画像信号を出力する為、プログラミングされている。
【００２３】
制御信号生成器９から出力される内部制御信号ＣＴＲＬは、システム制御部から供給される外部制御信号ＣＴＲＬと全く同一である。例えばシステム制御部から供給される外部クロック信号ＨＣＫが途絶えた場合、制御信号生成器９はＨＣＫと完全に同一の信号を内部的に生成し、出力制御信号ライン１３に供給する。このことから明らかな様に、保護回路Ｚの実際の構成では、リセット信号発生器７、内部信号生成開始カウンタ６、スイッチ切替器８、制御信号生成器９及びスイッチＳＷ１は、入力制御信号の種類毎に対応して設けられている。図３は表示を簡略化して理解を容易にする為、制御信号ＣＴＲＬで代表させて保護回路Ｚの動作を説明してある。
【００２４】
スイッチ切替器８と制御信号生成器９はＲＣ信号を受けて一旦アクティブになると、リセット信号ＲＳＴを受け取るまでは内部制御信号の生成と出力バッファ１０への接続を維持する。すなわち、ＲＣ信号を受け取るまでは外部からの入力をそのまま出力バッファに流すだけだが、一旦ＲＣ信号を受け取ると外部からの入力を遮断して接続を内部に移し、内部的に生成した制御信号ＣＴＲＬ及び画像信号ＤＡＴＡを対応するバッファ１０に流し続ける。その後ＲＳＴ信号を受け取ると、再び外部からの入力をそのままバッファに流す方向にスイッチＳＷ１，ＳＷ２を切り替えるということになる。尚制御信号生成器９はクロック発振器５から供給されるクロック信号ＣＬＫに同期して、内部制御信号を生成している。この様にして一方の出力バッファ１０に接続した出力画像信号ライン１２は通常外部システムから供給される画像信号ＤＡＴＡを出力し、外部信号不定時は内部的に作られた画像信号を出力する。この内部画像信号は全て黒レベルの信号あるいはあらかじめプログラムされたパタン信号である。このパタンは例えば外部からの信号が途絶えた旨を画面に表示する様なパタンもしくはメッセージを選ぶことができる。他方の出力バッファ１０に接続した出力制御信号ライン１３からは通常外部システムから供給される制御信号ＣＴＲＬがそのまま出力され、この外部信号が不定時には内部的に生成された制御信号が出力される。係る構成を有する保護回路Ｚはパネルを駆動するドライバＩＣとは別途形成され、外部システムとドライバＩＣとの間に配置される。あるいはこれに代えて、保護回路ＺをドライバＩＣ内部に組み込む様にしてもよい。
【００２５】
本発明に係る保護回路は断線やシステムトラブルなどにより外部から信号が途絶しても、自動的にこれを判別し、内部的に生成した駆動用の信号（制御信号及び画像信号）をドライバ及びディスプレイパネルに供給する。パネル側の信号線は保護回路から供給された黒レベルの信号によって接地電位に固定される為、パネル側は外部から制御信号が途絶えてもこの保護回路が動作している限り、常に全面黒表示の状態で通常駆動を行なっているのと同じことになる。従って信号線の電位レベル不定や特定の走査線の常時選択状態での停止など、パネルの異常駆動に起因するパネル自身やシステム、電源の破壊などを避けることが可能になる。
【００２６】
図４は図１に示した表示部及び駆動回路部の具体的な構成例を示すブロック図である。本例は一般的な有機ＥＬ表示装置の構成を表わしている。この画像表示装置は画素回路（ＰＸＬＣ）１０１がｍ×ｎのマトリクス状に配列された表示部Ｄ、水平駆動回路Ｈ、第一垂直駆動回路Ｖ１、第二垂直駆動回路Ｖ２、水平駆動回路Ｈにより選択され輝度情報に応じた画像信号が供給される信号線ＤＴＬ１０１〜ＤＴＬ１０ｎ、第一垂直駆動回路Ｖ１により選択駆動される走査線ＷＳＬ１０１〜ＷＳＬ１０ｍ、及び第二垂直駆動回路Ｖ２により選択駆動される走査線ＤＳＬ１０１〜ＤＳＬ１０ｍを有する。第一垂直駆動回路Ｖ１は保護回路から供給されるクロック信号ＶＣＫに応じて動作しスタートパルスＶＳＰ１を順次転送することで、走査線ＷＳＬ１０１〜ＷＳＬ１０ｍを順次選択する。同様に第二垂直駆動回路Ｖ２はＶＣＫに応じて動作しＶＳＰ２を順次転送することで走査線ＤＳＬ１０１〜ＤＳＬ１０ｍを線順次走査する。第一垂直駆動回路Ｖ１と第二垂直駆動回路Ｖ２とで垂直走査回路Ｖを構成する。水平駆動回路Ｈは保護回路から供給されるクロック信号ＨＣＫに応じて動作しスタートパルスＨＳＰを順次転送することで、信号線ＤＴＬ１０１〜ＤＴＬ１０ｎに画像信号ＤＡＴＡを印加していく。
【００２７】
図５は、図４に示した画素回路の一構成例を示す回路図である。図示する様に、この画素回路１０１は、基本的にｐチャネル型の薄膜電界効果トランジスタ（ＴＦＴ）で構成されている。すなわち画素回路１０１は、ドライブＴＦＴ１１１、スイッチングＴＦＴ１１２、サンプリングＴＦＴ１１５、有機ＥＬ素子１１７、保持容量Ｃ１１１を有する。係る構成を有する画素回路１０１は、信号線ＤＴＬ１０１と走査線ＷＳＬ１０１，ＤＳＬ１０１との交差部に配されている。信号線ＤＴＬ１０１はサンプリングＴＦＴ１１５のドレインに接続し、走査線ＷＳＬ１０１はサンプリングＴＦＴ１１５のゲートに接続し、他の走査線ＤＳＬ１０１はスイッチングＴＦＴ１１２のゲートに接続している。
【００２８】
ドライブＴＦＴ１１１、スイッチングＴＦＴ１１２及び有機ＥＬ素子１１７は、電源電位Ｖｃｃと接地電位ＧＮＤの間で直列に接続されている。すなわちドライブトランジスタ１１１のソースが電源電位Ｖｃｃに接続される一方、有機ＥＬ素子（発光素子）１１７のカソードが接地電位ＧＮＤに接続されている。一般に有機ＥＬ素子１１７は整流性がある為ダイオードの記号で表わしている。一方、サンプリングＴＦＴ１１５及び保持容量Ｃ１１１は、ドライブＴＦＴ１１１のゲートに接続している。ドライブＴＦＴ１１１のゲート・ソース間電圧をＶｇｓで表わしている。
【００２９】
画素回路１０１の動作であるが、まず走査線ＷＳＬ１０１を選択状態（ここでは低レベル）とし、信号線ＤＴＬ１０１に画像信号を印加すると、サンプリングＴＦＴ１１５が導通して画像信号が保持容量Ｃ１１１に書き込まれる。保持容量Ｃ１１１に書き込まれた信号電位がドライブトランジスタ１１１のゲート電位となる。続いて、走査線ＷＳＬ１０１を非選択状態（ここでは高レベル）とすると、信号線ＤＴＬ１０１とドライブＴＦＴ１１１とは電気的に切り離されるが、ドライブＴＦＴ１１１のゲート電位Ｖｇｓは保持容量Ｃ１１１によって安定に保持される。続いて他の走査線ＤＳＬ１０１を選択状態（ここでは低レベル）にすると、スイッチングＴＦＴ１１２が導通し、電源電位Ｖｃｃから接地電位ＧＮＤに向かって駆動電流がＴＦＴ１１１，ＴＦＴ１１２及び発光素子１１７を流れる。ＤＳＬ１０１が非選択状態になるとスイッチングトランジスタ１１２がオフし、駆動電流は流れなくなる。スイッチングＴＦＴ１１２は発光素子１１７の発光時間を制御する為に挿入されたものである。
【００３０】
ＴＦＴ１１１及び発光素子１１７に流れる電流は、ＴＦＴ１１１のゲート・ソース間電圧Ｖｇｓに応じた値となり、発光素子１１７はその電流値に応じた輝度で発光し続ける。上記の様に、走査線ＷＳＬ１０１を選択して信号線ＤＴＬ１０１に与えられた信号を画素回路１０１の内部に伝える動作を書込と呼ぶ。上述の様に、一度信号の書込を行なえば、次に書き替えられるまでの間、発光素子１１７は一定の輝度で発光を続け、画像信号に応じた所望の画像を表示することが可能になる。
【図面の簡単な説明】
【００３１】
【図１】本発明に係る画像表示装置の全体的な構成を示すブロック図である。
【図２】図１で使われる制御信号及び画像信号の波形図である。
【図３】図１に示した画像表示装置に含まれる保護回路の具体的な構成を示す回路図である。
【図４】図１に示した表示部及び駆動回路部の構成例を示すブロック図である。
【図５】図４に示した表示部に含まれる画素回路の具体的な回路構成を示す模式図である。
【符号の説明】
【００３２】
１・・・入力画像信号ライン、２・・・プルダウン抵抗、３・・・入力制御信号ライン、４・・・プルダウン抵抗、５・・・クロック発振器、６・・・内部信号生成開始カウンタ、７・・・リセット信号発生器、８・・・スイッチ切替器、９・・・制御信号生成器、１０・・・出力バッファ、１１・・・制御信号生成器、１２・・・出力画像信号ライン、１３・・・出力制御信号ライン、Ｄ・・・表示部、Ｓ・・・システム制御部、Ｈ・・・水平駆動回路、Ｖ・・・垂直駆動回路、Ｚ・・・保護回路
【図１】
2006010999.tif 000003
【図２】
2006010999.tif 000004
【図３】
2006010999.tif 000005
【図４】
2006010999.tif 000006
【図５】
2006010999.tif 000007